(57)【要約】【課題】シンクロナイズ調光方法およびその装置を提供する。【解決手段】本発明、複数のＬＥＤランプ３の上に光センサー４と制御ユニット２を配置し、単一の電源スイッチ１の開放を経由し、前述の制御ユニット２が、それぞれ光センサー４の検出した環境輝度に根拠し、自動方式によりＬＥＤランプ３の発光輝度を調整し、且つ手動を経由して電源スイッチ１を切り替え、更に前述の制御ユニット２を経由し、同期方式にて前述のＬＥＤランプ３の発光輝度または色温度を次第に調整することを含むことを特徴とする。これにより、設置および使用上の便利性を向上させることができる。【選択図】図４
2013026219.tif 000002
【特許請求の範囲】
【請求項１】
一つ又は複数の灯源に対し、調光または色温度調整を同期に行い、各灯源の同期が各灯源の交流電源周波数またはサイクルを、同期計時の基準とする、シンクロナイズ調光方法であって、
第１類の操作を設定し、少なくとも一つの電源スイッチが設定の時間段内にＮ回を切り替え、且つ該時間段の前後の切替動作および該時間段内の不連続な切替を、第１類の操作の設定と称し、その中、Ｎが設定の整数となること、
制御ユニットを使用し、該電源スイッチが前述の第１類の操作に合致するかどうかを、検出すること、
該第１類の操作と判断する時に、該制御ユニットは、複数のＬＥＤランプの少なくとも一つの特徴が“起動”または“停止”の操作を行なうように同期に制御し、即ち動作状態にあれば、停止させ、停止状態にあれば、起動させ、該少なくとも一つの特徴が主として輝度または色温度であることを、含むことを特徴とする、シンクロナイズ調光方法。
【請求項２】
該複数のＬＥＤランプが発光輝度または色温度の同期変更状態にある時に、発光輝度または色温度の同期変更を停止し、該複数のＬＥＤランプの発光輝度または色温度が同期に変更しない時にしたら、発光輝度または色温度の同期変更を起動することを特徴とする、請求項１に記載のシンクロナイズ調光方法。
【請求項３】
第２類の操作を設定し、第２類の操作の設定というのは、少なくとも一つの電源スイッチが設定の時間段内にＭ回を切り替え、且つ該時間段の前後の切替動作および該時間段内の切替が不連続の切替を呈し、その中でも、Ｍが設定の整数で且つＮに等しくないことを、指し、制御ユニットを使用し、該電源スイッチが前述の第２類の操作に合致するかどうかを検出し、該第２類の操作と判断する時に、該制御ユニットは、一つまたは複数のＬＥＤランプの少なくとも一つの特徴が“逆方向”の操作を行なうように制御し、即ち明から暗に調光し或いは色温度が高から低に調整する状態時にしたら、暗から明または低から高に変更する状態へ変更し、逆もまた同じであることを特徴とする、請求項１に記載のシンクロナイズ調光方法。
【請求項４】
該少なくとも一つの特徴は、該複数のＬＥＤランプの発光輝度または色温度の同期漸進変更を指し、即ち該複数のＬＥＤランプは、発光輝度が明から暗に変更する状態時にしたら、暗から明の状態へ変更し、或いは該複数のＬＥＤランプは、色温度が高から低に変更する状態時にしたら、低から高の状態へ変更し、逆もまた同じであることを特徴とする、請求項３に記載のシンクロナイズ調光方法。
【請求項５】
第２類の操作を更に設定し、第２類の操作の設定というのは、一つの電源スイッチが設定の時間段内にＭ回を切り替え、且つ該時間段の前後の切替動作および該時間段内の切替が不連続の切替を呈し、その中でも、Ｍが設定の整数で且つＮに等しくないことを、指し、該第２類の操作と判断する時に、該複数のＬＥＤランプが色温度調整モードであれば、色温度調整モードから退出し、逆に該複数のＬＥＤランプが該色温度調整モードではなく且つ輝度の調整が既に停止すれば、色温度調整モードへ入り、該複数のＬＥＤランプが該色温度調整モードではなく但し調光中にあれば、発光輝度の変更する方向を反転し、即ち調光中に該複数のＬＥＤランプが明から暗に変更する状態にしたら、暗から明に変更する状態へ変化し、逆もまた同じであることを特徴とする、請求項２に記載のシンクロナイズ調光方法。
【請求項６】
該ＬＥＤランプは、給電の交流電源の周波数またはサイクルを、調光速度の同期計時基準として利用し、該制御ユニットは、該電源スイッチの切替回数が前述の定義する第１類と第２類の操作ではないことを検出する時に、該制御ユニットのカウンターが零に戻り、且つ該カウンターの累積計数を停止し、更に該電源スイッチの切替回数が前述の定義する第１類と第２類の操作に合致する時に、該カウンターが交流電源の周波数またはサイクルに根拠して累積計数を行い始め、累積計数が予め設定した計数値に達する時に、単一段階の発光輝度または色温度を調整し、且つ該カウンターが零に戻り、再び予め設定した該計数値まで計数・累積する時に、更に単一段階の発光輝度または色温度を調整し、このように前述の動作を絶えずに繰り返し、発光輝度または色温度が既に最明、最暗、最高、最低まで達し或いは該制御ユニットが停止コマンドを出す時に、該カウンターが零に戻り且つ累積計数を停止することを特徴とする、請求項３に記載のシンクロナイズ調光方法。
【請求項７】
該電源スイッチの切替回数が前述の定義する第１類と第２の類操作ではない時あるいは該電源スイッチが開放する時に、前述の制御ユニットがそれぞれ該ＬＥＤランプを駆動し、該制御ユニットが該ＬＥＤランプ上の光センサーの検出した環境輝度に根拠し、該ＬＥＤランプの発光輝度を自動的に調整することを特徴とする、請求項３に記載のシンクロナイズ調光方法。
【請求項８】
一つまたは複数のＬＥＤランプ、一つまたは一つ以上の光センサー、少なくとも一つの制御ユニットと少なくとも一つの電源スイッチを含む、シンクロナイズ調光装置であって、
光センサーは該ＬＥＤランプの上または近縁に配置され、
制御ユニットは前述のＬＥＤランプと光センサーを電気的に接続し、
電源スイッチは前述の制御ユニットと電源との間を電気的に接続し、
該電源スイッチを開放することにより、前述の制御ユニットがそれぞれ該光センサーの検出した環境輝度に根拠し、自動方式にて該ＬＥＤランプの発光輝度を調整し、設定の時間段内に、該電源スイッチの予め設定した回数の切替を経由し、前述の制御ユニットの寄与により、手動方式にて前述のＬＥＤランプの発光輝度または色温度を同期に調整し、或いは自動方式により該ＬＥＤランプの発光輝度を調整するように回復し、前述の設定の時間段内に該電源スイッチを切り替えて予め設定した回数に合致するのは、該時間段内に該電源スイッチを切り替えて予め設定した回数に合致し、且つ該時間段の前後の切替動作および該時間段内の切替が不連続の切替を呈することを、指し、
更に前述のＬＥＤランプが給電の交流電源の周波数またはサイクルを、調光速さの同期参考根拠として利用し、該制御ユニットは、該電源スイッチが設定の時間段内に切り替えて予め設定した回数に合致することを、検出しない時に、該制御ユニットのカウンターが零に戻り、且つ該カウンターの累積・計数を停止し、更に該設定の時間段内に該電源スイッチが切り替えて予め設定した回数に合致し且つ該時間段の前後の切替動作と該時間段内の切替が不連続を呈する時に、該カウンターが全ての交流電源の周波数またはサイクル信号の累積計数を行い始め、
累積計数が予め設定した計数値に達する時に、単一段階の発光輝度または色温度を調整し、且つ該カウンターが零に戻り、再び予め設定した該計数値まで計数・累積する時に、更に単一段階の発光輝度または色温度を調整し、このように前述の動作を絶えずに繰り返し、発光輝度または色温度が既に最明、最暗、最高、最低まで達し或いは該制御ユニットが停止コマンドを出す時に、該カウンターが零に戻り且つ累積計数を停止することを特徴とする、シンクロナイズ調光装置。
【請求項９】
該光センサーは、位置決め孔の内に設けられ、該位置決め孔が、該ＬＥＤランプの透光セードの中、キャビネットの中または灯枠の中に位置し、或いは直管形態を呈するキャビネットの中に嵌設されることを特徴とする、請求項８に記載のシンクロナイズ調光装置。
【請求項１０】
該ＬＥＤランプは、キャビネットを一つ有し、該キャビネットの外周に枠条を一つ嵌設し、該枠条の上に、該ＬＥＤランプの表面に沿って該ＬＥＤランプの底部へ延伸する弧形条を設け、該光センサーを該弧形条の底端に設けてそして該ＬＥＤランプの底部に位置し、該枠条が環型またはＣ字型を呈し、更にその中でも、該弧形条が固定方式または軸接方式により該枠条の上に設置され、且つ光センサーが光センサーにより電気的な接続を達成することを特徴とする、請求項８に記載のシンクロナイズ調光装置。
【請求項１１】
該光センサーの近縁には、該光センサーを照射する一部分の光線を遮断するステッカーを設け、或いは該光センサーの近縁には、該光センサーの光線照射を開放・閉鎖できる遮光素子を活動的に配置し、且つその中、該遮光素子は、該光センサーに対応できる窓口を有することを特徴とする、請求項８に記載のシンクロナイズ調光装置。
【発明の詳細な説明】
【技術分野】
【０００１】
本発明は、シンクロナイズ調光方法およびその装置に係り、特に複数のＬＥＤランプを開放した後に直ちに発光輝度の自動調整を行い且つ手動にて発光輝度または色温度を同期に調整できる方法および装置に関する。
【背景技術】
【０００２】
目前にＬＥＤランプの大部分が、灯管、電球と灯板の形態に製成され、且つ広汎に室内照明の上に運用されている。その他に目前に市面上に、既にＬＥＤランプの漸進調光方法およびその装置、例えば、シリコン制御調光、信号線連続制御調光（ＤＡＬＩ）及び無線遠隔操作調光が存在し、これにより、完全に明るい状態にある必要がない空間の照明を使用することで省エネルギーの目的を達成できる。
【０００３】
但し、前述の調光方式は、何れもコントローラーまたは受領・発送装置および接続制御の配線施工を付け加える必要があることにより、多灯同期調光の目的を達成できる。然しながら、設置施工の妨害および高いコストの問題が、ユーザーの意欲を大幅に低減して調光・省エネルギー製品が普及しにくい最大の原因となり、著しく改善する余地がある。
【先行技術文献】
【特許文献】
【０００４】
【特許文献１】なし
【発明の概要】
【発明が解決しようとする課題】
【０００５】
そこで、本発明の目的は、点灯後に直ちに自動調整発光輝度を知的且つ連続的に行い且つ随意に手動にて同期漸進調整発光輝度または色温度を行うことができるシンクロナイズ調光方法およびその装置を提供することにある。これにより、前述の従来技術中の問題を克服し、ひいては調光の普及化を達成でき、且つ省エネルギーの環境保護の訴えを達成できる。その他に、本発明の方法によれば、灯具の元の線路および設備を利用して実施でき、連続制御信号線を付け加える必要がなく、多灯同期調整制御を達成でき、ひいては設置および使用上の便利性を向上させる。
【課題を解決するための手段】
【０００６】
上記課題を解決するために、本発明は、一つ又は複数の灯源に対し、調光または色温度調整を同期に行い、各灯源の同期が各灯源の交流電源周波数またはサイクルを、同期計時の基準とする、シンクロナイズ調光方法であって、第１類の操作を設定し、少なくとも一つの電源スイッチが設定の時間段内にＮ回を切り替え、且つ該時間段の前後の切替動作および該時間段内の不連続な切替を、第１類の操作の設定と称し、その中でも、Nが設定の整数となること；制御ユニットを使用し、該電源スイッチが前述の第１類の操作に合致するかどうかを、検出すること；該第１類の操作と判断する時に、該制御ユニットは、複数のＬＥＤランプの少なくとも一つの特徴が“起動”または“停止”の操作を行なうように同期に制御し、即ち動作状態にあれば、停止させ、停止状態にあれば、起動させ、該少なくとも一つの特徴が主として輝度または色温度であること；を含むことを特徴とする、シンクロナイズ調光方法である。
【０００７】
また、本発明は、一つまたは複数のＬＥＤランプ、一つまたは一つ以上の光センサー、少なくとも一つの制御ユニットと少なくとも一つの電源スイッチを含む、シンクロナイズ調光装置であって、光センサーは該ＬＥＤランプの上または近縁に配置され、制御ユニットは前述のＬＥＤランプと光センサーを電気的に接続し、電源スイッチは前述の制御ユニットと電源との間を電気的に接続し、該電源スイッチを開放することにより、前述の制御ユニットがそれぞれ該光センサーの検出した環境輝度に根拠し、自動方式にて該ＬＥＤランプの発光輝度を調整し、設定の時間段内に、該電源スイッチの予め設定した回数の切替を経由し、前述の制御ユニットの寄与により、手動方式にて前述のＬＥＤランプの発光輝度または色温度を同期に調整し、或いは自動方式により該ＬＥＤランプの発光輝度を調整するように回復し、前述の設定の時間段内に該電源スイッチを切り替えて予め設定した回数に合致するのは、該時間段内に該電源スイッチを切り替えて予め設定した回数に合致し、且つ該時間段の前後の切替動作および該時間段内の切替が不連続の切替を呈することを、指し、更に前述のＬＥＤランプが給電の交流電源の周波数またはサイクルを、調光速さの同期参考根拠として利用し、該制御ユニットは、該電源スイッチが設定の時間段内に切り替えて予め設定した回数に合致することを、検出しない時に、該制御ユニットのカウンターが零に戻り、且つ該カウンターの累積・計数を停止し、更に該設定の時間段内に該電源スイッチが切り替えて予め設定した回数に合致し且つ該時間段の前後の切替動作と該時間段内の切替が不連続を呈する時に、該カウンターが全ての交流電源の周波数またはサイクル信号の累積計数を行い始め、累積計数が予め設定した計数値に達する時に、単一段階の発光輝度または色温度を調整し、且つ該カウンターが零に戻り、再び予め設定した該計数値まで計数・累積する時に、更に単一段階の発光輝度または色温度を調整し、このように前述の動作を絶えずに繰り返し、発光輝度または色温度が既に最明、最暗、最高、最低まで達し或いは該制御ユニットが停止コマンドを出す時に、該カウンターが零に戻り且つ累積計数を停止することを特徴とする、シンクロナイズ調光装置である。
【発明の効果】
【０００８】
本発明は、互いに従来の技術と比較すると、下記の利点を有する。
１）点灯後に、直ちに知能自動調整発光輝度を行ってもよく、且つ手動にて同期漸進調整発光輝度または色温度を行ってもよく、そして設置および使用上の便利性と快適性を改善し、同時にエネルギーを節約することができる。
２）単一の電源スイッチにより、複数セットのＬＥＤランプを同期に制御できる。従って、操作上では、相当に人性化し、且つその中の如何なるセットのＬＥＤランプが損害する時に、他のＬＥＤランプの調整・制御が影響を受け入れることはない。
３）各ＬＥＤランプが所在位置の環境輝度に根拠してそれぞれ発光輝度を調整でき、そして各箇所の光線輝度を一致に達するように調整できる。従って、同じ空間の沢山の位置に、適当な照度を調整できる。
４）信号配線および装置を付け加えない状況下では、複数のＬＥＤランプの輝度と色温度を同期に調整するように精確に達成できる。
５）制御装置または信号配線を付け加える必要がなく、更に施工する必要もないので、市販の元の調光機能なしの電球、灯管または灯具を直接に取り替えてもよい。従って、省エネルギー・炭素減らしの目的をより容易に普及・達成できる。
６）ユーザーの趣味・必要に根拠して適当な色温度を便利に調整でき、同時に好ましい色温度状態下にも、ＬＥＤランプの発光輝度を調整でき、便利性以外に、光照らし品質を更に向上することができる。
【図面の簡単な説明】
【０００９】
【図１】本発明の方法の実施例１のブロック・フローチャートである。
【図２】本発明の方法の実施例２のブロック・フローチャートである。
【図３】本発明の方法の実施例３のブロック・フローチャートである。
【図４】本発明の装置のより好ましい実施例の配置のブロック模式図である。
【図５】本発明の或る電球型ＬＥＤランプの斜視図である。
【図６】本発明の或るダウンライト型ＬＥＤランプの斜視図である。
【図７】本発明の直管型ＬＥＤランプの斜視図である。
【図８】本発明の他のダウンライト型ＬＥＤランプの斜視図である。
【図９】本発明の更なる他のダウンライト型ＬＥＤランプの斜視図である。
【図１０】本発明の他の電球型ＬＥＤランプの斜視図である。
【図１１】図１０の付加実施態様の正面図である。
【図１２】図１０のＡ−Ａ断面図である。
【図１３】図６のある付加実施態様の断面図である。
【図１４】図６の他の付加実施態様の断面図である。
【図１５】図７のある付加実施態様の局部斜視図である。
【図１６】図７の他の付加実施態様の局部斜視図である。
【発明を実施するための形態】
【００１０】
以下、本発明の実施の形態を図面に基づいて説明する。
【００１１】
図１には、本発明のブロック・フローチャートを示し、且つ図４に対応して本発明のシンクロナイズ調光方法を説明し、下記の実施ステップを含む。
【００１２】
本発明は、シンクロナイズ調光方法に関するもので、一つまたは複数の灯源（図４中の符号３０、３０ａ、３０ｂと３０ｃを参照）に対して同期漸進調光または色温度調整を行う。該色温度の高低の調整が少なくとも一つの高色温度の光源と一つの低色温度の光源を含み、制御ユニット２により、それぞれ少なくとも２セットの光源の個別の出力の高低を制御し、即ちＬＥＤランプ３全体の発光の色温度の高低を変更できる。本発明中に、各灯源の同期が各灯源の交流電源の周波数またはサイクルを、同期計時の基準としてもよい。
【００１３】
図４を参照されたい。該制御ユニット２の中に、第１類の操作を設定し、少なくとも一つの電源スイッチが設定の時間段内にＮ回を切り替え、且つ該時間段の前後の切替動作および該時間段内の切替が不連続の切替を呈し、その中でも、Ｎが設定の整数であることを、指す。その中でも、連続というのは、２回を切り替える間の間隔が既に予定した時間の間隔より小さくなることを定義できる。例えば、３秒間内に該電源スイッチに対して３回の切替動作を行い、且つ各切替操作の間の間隔（切替動作時間を含む）が１．５秒間を超えない。従って、３秒間内に該電源スイッチが前述の定義に合致する操作（３回の切替）を有し、且つこの３回の切替に隣り合う他回の切替と該３回の切替との時間の間隔が何れも１．５秒間より大きくなる時に、つまり制御ユニット２は、この他回の切替と該３回の切替が不連続の切替に属すると認定できる。従って、該３回の切替が前述の定義する第１類の操作に合致する。
【００１４】
その他に、該制御ユニット２の中に、また第２類の操作を一つ設定し、第２類の操作の設定というのは、少なくとも一つの電源スイッチが設定の時間段内にＭ回を切り替え、且つ該時間段の前後の切替動作および該時間段内の切替が不連続の切替を呈し、その中でも、Ｍが設定の整数で且つＮに等しくないことを、指す。
【００１５】
下記の叙述に本発明の操作を下記のように説明し、且つ図１と図４を参照する。先ず一つの電源スイッチ１を開放し（ステップ１０１）、制御ユニット２が自動調光モードに入ってＬＥＤランプ３を駆動し（ステップ１０２）、該制御ユニット２の自動調光モードが、予め設定した複数のセットの発光輝度パラメーターを有し、前述の発光輝度パラメーターが、ＬＥＤランプ３を開放しない前の環境輝度と予め設定した理想発光輝度との間の輝度ギャップ値を指す。
【００１６】
図４を参照する。制御ユニット２が光センサー４の検出した環境照度に根拠して１セットの発光輝度パラメーターと照合し、そして該セットの発光輝度パラメーターに根拠してＬＥＤランプ３の発光輝度を自動的に調整し、前述の制御ユニット２、ＬＥＤランプ３と光センサー４が一つの調光灯セット３０をモジュール化してなり、本実施例の中に、前述の制御ユニット２、ＬＥＤランプ３と光センサー４が、複数個を成して実施でき、且つ制御ユニット２の数がＬＥＤランプ３に等しくなり、従って、前述の制御ユニット２、ＬＥＤランプ３と光センサー４が、複数の調光灯セット３０、３０ａ、３０ｂ、３０ｃを構成でき、そしてそれぞれ前述の単一個の電源スイッチ１を受け入れて給電・駆動する。
【００１７】
該制御ユニット２は、積分または平均値の採取方法を使用し、連続緩慢変更の方式により、前述のＬＥＤランプ３の発光輝度を自動的に調整でき、光センサー４が外部の物事（例えば人影、光線の揺動）の妨害を受けて制御ユニット２が明るくなったり暗くなったりしてＬＥＤランプ３の発光輝度を調整する恐れを、及ぼさないように避けてもよいが、ユーザーの不快感を及ぼさないように避けるためである。
【００１８】
図１を参照する。該電源スイッチが切り替える時に、制御ユニットは、該電源スイッチが前述の第１類の操作に合致するかどうかを、検出するように用いられる（ステップ１０３）。該制御ユニットは、該項目の切替が該第１類の操作ではないと判断する時に、つまり流れがステップ１０２に戻る。
【００１９】
該制御ユニットは、該項目の切替が該第１類の操作であると判断する時に、つまり該制御ユニットは、複数のＬＥＤランプの少なくとも一つの特徴が“起動”または“停止”の操作を行なうように制御する（ステップ１０４）。即ち動作状態にあれば、停止させ、停止状態にあれば、起動させる。前述の操作を完成した後に、流れがステップ１０３に戻る。本発明の中に、該少なくとも一つの特徴が主として輝度または色温度である。
【００２０】
本発明の中に、少なくとも一つの特徴が、該複数のＬＥＤランプの発光輝度の同期変更を指し、該複数のＬＥＤランプが発光輝度の同期変更状態にある時にしたら、発光輝度の同期変更を停止するが、該複数のＬＥＤランプが発光輝度の同期変更を行わない時にしたら、発光輝度の同期変更を起動する。
【００２１】
他の実施例の中に、少なくとも一つの特徴が、該複数のＬＥＤランプの色温度の同期変更を指し、該複数のＬＥＤランプが色温度の同期変更状態にある時にしたら、色温度の同期変更を停止するが、該複数のＬＥＤランプが色温度の同期変更を行わない時にしたら、色温度度の同期変更を起動する。
【００２２】
図２を参照する。その中でも、本発明の他の実施例を表示する。本実施例の中に、前述の説明の第１類の操作以外に、該制御ユニットは、更に該電源スイッチが前述の第２類の操作に合致するかどうかを検出する（ステップ２０１）。該制御ユニットは、該項目の切替が第２類の操作ではないと判断する時に、流れがステップ１０２に戻る。該第２類の操作と判断する時に、該制御ユニットは、一つまたは複数のＬＥＤランプの少なくとも一つの特徴が“逆方向”の操作を行なうように制御し（ステップ２０２）、即ち明から暗に調光し或いは色温度が高から低に調整する状態時にしたら、暗から明または低から高に変更する状態へ変更し、逆もまた同じである。前述の操作を完成した後に、流れがステップ１０３に戻る。
【００２３】
第２類の操作の中に、少なくとも一つの特徴が、該複数のＬＥＤランプの発光輝度の同期変更であってもよいが、即ち該複数のＬＥＤランプは、発光輝度が明から暗に変更する状態時にしたら、つまり暗から明の状態へ変更し、逆もまた同じである。本発明の第２類の操作の中に、少なくとも一つの特徴が、該複数のＬＥＤランプの色温度調整方向の同期変更を指してもよい。即ち、該複数のＬＥＤランプは、色温度が高から低に変更する状態時にしたら、つまり低から高の状態へ変更し、逆もまた同じである。
【００２４】
図３を参照する。その中でも、本発明の他の実施例を説明し、本実施例が図１に示す実施例１の操作を延伸し、但し、実施例１の中に、特徴の一つが色温度を指し、該システムが色温度調整モードの下にあるかどうかを判断する以外に、本発明が他の特徴を更に含み、輝度の調整となる。
【００２５】
全体的な操作方式は、前述の第１類の操作中に、先ず色温度調整モードにあるかどうかを判断するが（ステップ３００）、該色温度調整モードにあれば、該制御ユニットは、複数のＬＥＤランプの色温度調整を制御して“起動”または“停止”の操作を行ない、その方式が前述の説明と同じである（ステップ３１０）。該複数のＬＥＤランプが色温度同期変更状態時にしたら、色温度の同期変更を停止し、該複数のＬＥＤランプが色温度同期変更を行わない状態時にしたら、色温度の同期変更を起動する。
【００２６】
該複数のＬＥＤランプが色温度調整モードでない時かつ該複数のＬＥＤランプの元の発光輝度が同期に状態を変更する時に、発光輝度の同期変更を停止するが（ステップ３１１）、該複数のＬＥＤランプの元の発光輝度が同期に変更しない時にしたら、発光輝度の同期変更を起動する（ステップ３１２）。
【００２７】
本実施例の中に、第２類の操作を更に設定し、第２類の操作の設定というのは、一つの電源スイッチが設定の時間段内にＭ回を切り替え、且つ該時間段の前後の切替動作および該時間段内の切替が不連続の切替を呈し、その中でも、Ｍが設定の整数で且つＮに等しくないことを、指す。該電源スイッチの切替が該第２類の操作であると判断する時に（ステップ３２０）、該複数のＬＥＤランプが色温度調整モードにあるかどうかを判断する（ステップ３２１）。該複数のＬＥＤランプが色温度調整モードにあれば、色温度調整モードから退出し（ステップ３２２）、逆に該複数のＬＥＤランプが該色温度調整モードでなければ、ＬＥＤランプが発光輝度の変更を既に停止するかどうかを判断する（ステップ３２３）。輝度の調整が既に停止すれば、色温度調整モードへ入る（ステップ３２４）。該複数のＬＥＤランプが該色温度調整モードではなく、但し丁度調光中にあれば、発光輝度の変更方向を反転し（ステップ３２５）、即ち調光中に該複数のＬＥＤランプが明から暗に変更する状態にしたら、つまり暗から明に変更する状態へ変化し、逆もまた同じである。
【００２８】
その中でも、前述のＬＥＤランプは、最明、最暗、前回の消灯時の輝度状態から、輝度を変更し始め、或いは最高の色温度、最低の色温度、前回の消灯時の色温度状態から、色温度を変更し始める。このようにしたら、数多くのランプで且つ信号線なしの接続制御の状況下では、前述のＬＥＤランプ３の調光開始点が一致に達する。
【００２９】
該ＬＥＤランプは、給電の交流電源の周波数またはサイクルを、調光速さの同期計時基準として利用し、該制御ユニットは、該電源スイッチの切替回数が前述の定義する第１類および第２類操作ではないことを検出する時に、該制御ユニットのカウンターが零に戻り、且つ該カウンターの累積計数を停止し、更に該電源スイッチの切替回数が前述の定義する第１類と第２類操作に合致する時に、該カウンターが交流電源の周波数またはサイクルに根拠して累積計数を行い始め、累積計数が予め設定した計数値に達する時に、単一段階の発光輝度または色温度を調整し、且つ該カウンターが零に戻り、再び予め設定した該計数値まで計数・累積する時に、更に単一段階の発光輝度または色温度を調整し、このように前述の動作を絶えずに繰り返し、発光輝度または色温度が既に最明、最暗、最高、最低まで達し或いは該制御ユニットが停止コマンドを出す時に、該カウンターが零に戻り且つ累積計数を停止する。
【００３０】
前述により、単一個の電源スイッチ１を利用して前述の調光灯セット３０、３０ａ、３０ｂ、３０ｃを同期に制御でき、その中でも、如何なる調光灯セットの制御ユニット２又はＬＥＤランプ３が損害する時に、他の調光灯セットの制御ユニット２とＬＥＤランプ３が影響を受けず、且つ各調光灯セットのＬＥＤランプ３が、それぞれその制御ユニット２の調光を受け入れてもよい。
【００３１】
図４を参照して示すように、本発明のシンクロナイズ調光装置のより好ましい実施例の配置のブロック模式図を掲示し、本発明の装置が、複数のＬＥＤランプ３、一つまたは一つ以上の光センサー４、少なくとも一つの制御ユニット２と一つの電源スイッチ１を含むことを、説明する。その中でも、前述の光センサー４が、それぞれ該各ＬＥＤランプ３の上または近縁に配置される。
【００３２】
該ＬＥＤランプ３が、互いに連通するキャビネット３２と透光セード３３（図５に示すように）を有し、該ＬＥＤが透光セード３３の内に位置し、且つ光センサー４が透光セード３３の内に位置する。
【００３３】
該キャビネット３２の内にＬＥＤの駆動ユニット３１を一つ有し、そしてＬＥＤを電気的に接続し、該制御ユニット２が検出回路とロジック回路を含んでなり、且つ制御ユニット２が実際に駆動ユニット３１の内にモジュール化してもよい。そして制御ユニット２がＬＥＤランプ３と光センサー４を電気的に接続し、前述の制御ユニット２、ＬＥＤランプ３と光センサー４が、複数の調光灯セット３０、３０ａ、３０ｂ、３０ｃを構成できる。
【００３４】
該電源スイッチ１が元の電源回路を利用して前述の制御ユニット２と交流電源との間を電気的に接続できる。
【００３５】
このようにしたら、電源スイッチ１の開放および前述の定義する第１類と第２類操作を経由して前述の調光灯セット３０、３０ａ、３０ｂ、３０ｃの制御ユニット２及び光センサー４を同期に駆動でき、ひいては前述の調光灯セット３０、３０ａ、３０ｂ、３０ｃのＬＥＤランプ３を同期に制御し、その残りの実施方式が前述の実施例と同じである。
【００３６】
前述の寄与により、該制御ユニット２が、光センサー４の検出した光線輝度に根拠してＬＥＤランプ３の発光輝度を自動的に調整でき、且つ随時に電源スイッチ１を経由して手動にてＬＥＤランプ３の発光輝度を調整できる。
【００３７】
以下に、ひいては本発明の調光装置の具体的な実施方式を説明する。
【００３８】
実施時に、該ＬＥＤランプ３、３ａが電球またはダウンライト形態（図５と図６に示すように）であってもよい。更に透光セード３３、３３ａの上には、下向きに向かう位置決め孔３５、３５ａを設けてなり、該光センサー４が位置決め孔３５、３５ａの内に設けられる。
【００３９】
実施時に、該ＬＥＤランプ３ｂも直管形態（図７に示すように）であってもよい。且つＬＥＤランプ３ｂの単一側のキャビネット３２ｂの上には、下向きに向かう位置決め孔３５ｂを設けてなり、該光センサー４が位置決め孔３５ｂの内に設けられる。
【００４０】
実施時に、該ＬＥＤランプ３ｃ、３ｄが、円形、矩形または他の形状を呈する灯枠３４ｃ、３４ｄの内に嵌設され（図８と図９に示すように）、且つ灯枠３４ｃ、３４ｄの上には、一つまたは一つ以上の上から下方へ向かう位置決め孔３５ｃ、３５ｄを設け、該光センサー４が位置決め孔３５ｃ、３５ｄの内に設けられる。
【００４１】
実施時に、該ＬＥＤランプ３ｅの放熱キャビネット３２ｅと透光セード３３ｅが接続して電球形態を呈し（図１０に示すように）、且つキャビネット３２ｅの外周にも、円環型を呈する枠条５を嵌設できることにより、枠条５が透光セード３３ｅに近接し、該枠条５が弾性を有してもよく、且つ枠条５の上には、ＬＥＤランプ３ｅの透光セード３３ｅの表面に沿ってＬＥＤランプ３ｅの底部へ延伸する弧形条５１を一つ設け、該光センサー４を弧形条５１の底端に設けてそしてＬＥＤランプ３ｅの底部に位置し、このようにしたら、構造を簡略化し且つ設置に寄与するためである。或いは該枠条５ａもＣ字型を呈してもよい（図１１に示すように）。
【００４２】
この他に、該弧形条５１の頂端も、軸接方式により枠条５、５ａの上に設置でき、或いは該弧形条５１も、弾性を有してもよく、使用時に、先ず弧形条５１の底端の弾性を調整して枠条５、５ａの外側へ揺動できることにより、枠条５、５ａが上から下へ又は両側から軸心方向へキャビネット３２ｅの外周に嵌設されるためである。
【００４３】
該キャビネット３２ｅの両側には、それぞれ互いに対称する二つの穿孔または凹部３６ｅ（図１２に示すように）を形成し、該枠条５の内壁に、互いに対称する二つの凸部５２を形成し、枠条５が上から下へキャビネット３２ｅの外周に嵌設される時に、そして前述の凸部５２がそれぞれ穿孔３６ｅの内に係合されることにより、枠条５をキャビネット３２ｅの外周に位置決めする。該穿孔３６ｅがキャビネット３２ｅの内部に連通し、光センサー４へ供給できる電源と信号線が、穿孔または凹部３６ｅを経由してキャビネット３２ｅの内部に入り、そして制御ユニット２を接続する。
【００４４】
実施時に、該光センサー４ａも、位置決め孔３５ａ内（図１３に示すように）に内縮でき、且つ位置決め孔３５ａの上に、半分の透光ステッカー６を貼り付けてもよく、そしてステッカー６が光センサー４ａの近縁に位置し、光センサー４ａを照射する一部分の光線を遮断でき、これにより、光センサー４ａが感光を受け入れる上の光照らし強度を、調節する。
【００４５】
実施時に、該位置決め孔３５ａの上にも、外部の環境光線を開放・閉鎖して位置決め孔３５ａを経由して光センサー４ａを照射する遮光素子７（図１４と図１５に示すように）を、一つ活動的に配置できることにより、遮光素子７が光センサー４ａの近縁に位置し、且つ遮光素子７の上に、位置決め孔３５ａと光センサー４ａに対応できる窓口７１を、一つ有する。本発明の中に、遮光素子７、７ａを回転可能的に設置できる。前述の遮光素子７の位置の調整を経由し、ひいては光センサー４ａが窓口を経由して外部に開放する開放量を、制御する。
【００４６】
実施時に、該遮光素子７ａも、スリーブ形態（図１６に示すように）を呈してもよく、且つ遮光素子７ａが、直管形態を呈するＬＥＤランプ３ｂの単一側のキャビネット３２ｂの上に嵌設され、且つキャビネット３２ｂの位置決め孔３５ｂの上に遮蔽でき、遮光素子７ａの回転を経由して窓口７２ａと位置決め孔３５ｂとの間の相対的な位置を調整し、ひいては光センサー４が位置決め孔３５ｂと窓口７２ａを経由して外部に開放する開放量を、制御する。これにより、センサー４を照射する一部分の光線を遮蔽する。
【００４７】
実施時に、前述の窓口７１ａ、７２ａが、円形、狭長形または三角形を呈してもよい。
【００４８】
上記内容は、本発明に対してより好ましい実施例のみで、本発明を限定するために用いられるものではなく、例えば、他の本発明の掲示する精神をまだ逸脱しない下で完成された等価な修飾または置換えが、何れも本発明の保護範囲内に含まれるべきである。
【符号の説明】
【００４９】
１：電源スイッチ
２：制御ユニット  
３、３ａ、３ｂ、３ｃ、３ｄ、３ｅ：ＬＥＤランプ  
４、４ａ、４ｂ：光センサー
５、５ａ：枠条
６：ステッカー
７、７ａ、７ｂ：遮光素子
２１：カウンター
３０、３０ａ、３０ｂ、３０ｃ：調光灯セット
３１：駆動ユニット
３２、３２ｂ、３２ｅ：キャビネット
３３、３３ａ、３３ｅ：透光セード
３４ｃ、３４ｄ：灯枠
３５、３５ａ、３５ｂ、３５ｃ、３５ｄ：位置決め孔
３６ｅ：穿孔または凹部
５１：弧形条
５２：凸部
７０：プラグパイプ
７１、７１ａ、７２ａ：窓口
７２：貫通口
【図１】
2013026219.tif 000003
【図２】
2013026219.tif 000004
【図３】
2013026219.tif 000005
【図４】
2013026219.tif 000006
【図５】
2013026219.tif 000007
【図６】
2013026219.tif 000008
【図７】
2013026219.tif 000009
【図８】
2013026219.tif 000010
【図９】
2013026219.tif 000011
【図１０】
2013026219.tif 000012
【図１１】
2013026219.tif 000013
【図１２】
2013026219.tif 000014
【図１３】
2013026219.tif 000015
【図１４】
2013026219.tif 000016
【図１５】
2013026219.tif 000017
【図１６】
2013026219.tif 000018